【手続補正書】
【提出日】平成29年11月16日(2017.11.16)
【手続補正１】
【補正対象書類名】特許請求の範囲
【補正対象項目名】全文
【補正方法】変更
【補正の内容】
【特許請求の範囲】
【請求項１】
物体側から像側へ順に、負又は正の屈折力の第１レンズユニット、全体として正の屈折力を有し少なくとも１つのレンズユニットを含む後群からなり、フォーカシングに際して隣り合うレンズユニットの間隔が変化する光学系であって、
前記第１レンズユニットは正レンズと負レンズを含み、
前記第１レンズユニットの最も物体側のレンズは負の屈折力を有し、
前記後群は正レンズと開口絞りを有し、
前記後群に含まれるレンズのうち前記開口絞りの物体側又は像側にあって前記開口絞りに最も近いレンズのレンズ面は前記開口絞りに対して凹形状を有し、
前記第１レンズユニットに含まれる負レンズのうち、アッベ数が最小である第１負レンズの屈折率をｎｄ１ｎ、該第１負レンズのアッベ数をνｄ１ｎとし、前記第１レンズユニットに含まれる正レンズのうち、アッベ数が最小である第１正レンズの屈折率をｎｄ１ｐ、該第１正レンズのアッベ数をνｄ１ｐとし、前記後群に含まれる正レンズのアッベ数をνｄ２ｐ、ｇ線とＦ線に関する部分分散比をθｇＦ２ｐとするとき、
−０．５０≦ｎｄ１ｎ−（−０．０１４×νｄ１ｎ＋２．２７）≦−０．０８
０．０４≦ｎｄ１ｐ−（−０．０１４×νｄ１ｐ＋２．２７）≦０．５０
０．０１＜θｇＦ２ｐ−（−０．００１６８２×νｄ２ｐ＋０．６４３８）＜０．５０
なる条件を満足することを特徴とする光学系。
【請求項２】
前記光学系が無限遠物体に合焦したときの焦点距離をｆ、前記第１レンズユニットの焦点距離をｆ１とするとき、
０＜｜ｆ／ｆ１｜≦０．４０
なる条件を満足することを特徴とする請求項１に記載の光学系。
【請求項３】
前記第１負レンズの焦点距離をｆ１ｎとするとき、
０．２５≦｜ｆ／ｆ１ｎ｜≦２．００
なる条件を満足することを特徴とする請求項１又は２に記載の光学系。
【請求項４】
前記第１負レンズのｇ線とＦ線に関する部分分散比をθｇＦ１ｎとするとき、
０＜θｇＦ１ｎ−（−０．００１６８２×νｄ１ｎ＋０．６４３８）＜０．０５
なる条件を満足することを特徴とする請求項１乃至３のうちいずれか１項に記載の光学系。
【請求項５】
前記第１正レンズのｇ線とＦ線に関する部分分散比をθｇＦ１ｐとするとき、
−０．０５＜θｇＦ１ｐ−（−０．００１６８２×νｄ１ｐ＋０．６４３８）＜０．００８
なる条件を満足することを特徴とする請求項１乃至４のうちいずれか１項に記載の光学系。
【請求項６】
前記光学系の最も物体側のレンズ面から前記開口絞りまでの光軸に沿う距離をＬｐ、前記光学系の最も物体側のレンズ面から前記第１負レンズまでの光軸上の距離をＬ１ｎとするとき、
０≦Ｌ１ｎ／Ｌｐ≦０．４０
なる条件を満足することを特徴とする請求項１乃至５のうちいずれか１項に記載の光学系。
【請求項７】
前記後群のうち、前記開口絞りより物体側のレンズの像側の面の曲率半径をＲｆ、前記開口絞りより像側のレンズの物体側の面の曲率半径をＲｒとするとき、
０．２５＜｜Ｒｆ／ｆ｜＜２．０
０．２５＜｜Ｒｒ／ｆ｜＜１．５
なる条件を満足することを特徴とする請求項１乃至６のうちいずれか１項に記載の光学系。
【請求項８】
前記後群は、前記開口絞りの物体側および像側に、正の屈折力のレンズユニットをそれぞれ有し、
前記後群において前記開口絞りの物体側に配置されたレンズユニットの前記開口絞りに最も近いレンズ面と、前記後群において前記開口絞りの像側に配置されたレンズユニットの前記開口絞りに最も近いレンズ面は、共に前記開口絞りに対して凹形状であることを特徴とする請求項１乃至７のうちいずれか１項に記載の光学系。
【請求項９】
請求項１乃至８のうちいずれか１項に記載の光学系を有することを特徴とする光学機器。
【手続補正２】
【補正対象書類名】明細書
【補正対象項目名】０００６
【補正方法】変更
【補正の内容】
【０００６】
本発明の光学系は、物体側から像側へ順に、負又は正の屈折力の第１レンズユニット、全体として正の屈折力を有し少なくとも１つのレンズユニットを含む後群からなり、フォーカシングに際して隣り合うレンズユニットの間隔が変化する光学系であって、前記第１レンズユニットは正レンズと負レンズを含み、前記第１レンズユニットの最も物体側のレンズは負の屈折力を有し、前記後群は正レンズと開口絞りを有し、前記後群に含まれるレンズのうち前記開口絞りの物体側又は像側にあって前記開口絞りに最も近いレンズのレンズ面は前記開口絞りに対して凹形状を有し、前記第１レンズユニットに含まれる負レンズのうち、アッベ数が最小である第１負レンズの屈折率をｎｄ１ｎ、該第１負レンズのアッベ数をνｄ１ｎとし、前記第１レンズユニットに含まれる正レンズのうち、アッベ数が最小である第１正レンズの屈折率をｎｄ１ｐ、該第１正レンズのアッベ数をνｄ１ｐとし、前記後群に含まれる正レンズのアッベ数をνｄ２ｐ、ｇ線とＦ線に関する部分分散比をθｇＦ２ｐとするとき、
−０．５０≦ｎｄ１ｎ−（−０．０１４×νｄ１ｎ＋２．２７）≦−０．０８
０．０４≦ｎｄ１ｐ−（−０．０１４×νｄ１ｐ＋２．２７）≦０．５０
０．０１＜θｇＦ２ｐ−（−０．００１６８２×νｄ２ｐ＋０．６４３８）＜０．５０
なる条件を満足することを特徴とする。
【手続補正３】
【補正対象書類名】明細書
【補正対象項目名】００１２
【補正方法】変更
【補正の内容】
【００１２】
各実施例の光学系は、物体側から像側へ順に、正又は負の屈折力の第１レンズユニットＬ１と、正の屈折力の後群Ｌ２と、を有する。第１レンズユニットは正レンズと負レンズを含む。後群Ｌ２は複数のレンズと開口絞りＳＰを有する。後群Ｌ２が含むレンズのうち、開口絞りＳＰの物体側又は像側にあって開口絞りＳＰに最も近いレンズのレンズ面は、開口絞りＳＰに対して凹形状を有している。なお、ｉを物体側からのレンズユニットの順番とすると、Ｌｉは第ｉレンズユニットを表す。
【手続補正４】
【補正対象書類名】明細書
【補正対象項目名】００２３
【補正方法】変更
【補正の内容】
【００２３】
０＜｜ｆ／ｆ１｜≦０．４０                        （５）
各実施例の光学系は開口絞りＳＰに対して略対称なレンズ構成の後群Ｌ２と、第１レンズユニットＬ１から構成されている。条件式（５）の下限を下回ると、相対的に第１レンズユニットＬ１の屈折力が小さくなり、光学系を小型に構成することが困難となる。条件式（５）の上限を上回ると、開口絞りＳＰに対して非対称なパワー配置となるため倍率色収差が大きく発生し、この補正が困難となる。
【手続補正５】
【補正対象書類名】明細書
【補正対象項目名】００３３
【補正方法】変更
【補正の内容】
【００３３】
条件式（８）の代わりに、以下の条件式を満足すると更に良い。
−０．０３＜θｇＦ１ｐ−（−０．００１６８２νｄ１ｐ＋０．６４３８）＜０．００７
・・・（８ａ）
条件式（８ａ）の代わりに、以下の条件式を満足すると更に良い。
−０．０２＜θｇＦ１ｐ−（−０．００１６８２νｄ１ｐ＋０．６４３８）＜０．００６
・・・（８ｂ）
各実施例において、後群Ｌ２のうちの正レンズのアッベ数をνｄ２ｐ、ｇ線とＦ線に関する部分分散比をθｇＦ２ｐとするとき、以下の条件式（９）を満足するのが好ましい。
【手続補正６】
【補正対象書類名】明細書
【補正対象項目名】００４１
【補正方法】変更
【補正の内容】
【００４１】
０≦Ｌ１ｎ／Ｌｐ≦０．２５                              （１０ｂ）
各実施例において、後群Ｌ２のうちの開口絞りＳＰより物体側のレンズの像側の面の曲率半径をＲｆ、開口絞りＳＰより像側のレンズの物体側の面の曲率半径をＲｒとするとき、以下の条件式を満足するのが好ましい。
【手続補正７】
【補正対象書類名】明細書
【補正対象項目名】００４２
【補正方法】変更
【補正の内容】
【００４２】
０．２５＜｜Ｒｆ／ｆ｜＜２．０                          （１１）
０．２５＜｜Ｒｒ／ｆ｜＜１．５                          （１２）
条件式（１１）及び（１２）はコマ収差及び非点収差を良好に低減し高い光学性能を実現するためのものである。条件式（１１）及び（１２）の下限を下回る場合には、コマ収差が大きく発生し、この補正が困難となる。条件式（１１）及び（１２）の上限を上回る場合には、非点収差が大きく発生し、この補正が困難となる。
【手続補正８】
【補正対象書類名】明細書
【補正対象項目名】００４４
【補正方法】変更
【補正の内容】
【００４４】
０．５０＜｜Ｒｆ／ｆ｜＜１．６０                        （１１ａ）
０．４０＜｜Ｒｒ／ｆ｜＜１．００                        （１２ａ）
条件式（１１ａ）（１２ａ）の代わりに、以下の条件式を満足すると更に良い。
【手続補正９】
【補正対象書類名】明細書
【補正対象項目名】００４５
【補正方法】変更
【補正の内容】
【００４５】
０．５０＜｜Ｒｆ／ｆ｜＜１．４０                        （１１ｂ）
０．４０＜｜Ｒｒ／ｆ｜＜０．８０                        （１２ｂ）
【手続補正１０】
【補正対象書類名】明細書
【補正対象項目名】００４６
【補正方法】変更
【補正の内容】
【００４６】
図１（ａ）に示す実施例１（数値実施例１）の光学系は、物体側から像側へ順に、負の屈折力の第１レンズユニットＬ１と、正の屈折力の後群Ｌ２から構成されている。後群Ｌ２は、物体側から像側へ順に、正の屈折力のレンズユニット（サブレンズユニット）Ｌ２ａ、開口絞りを含む正の屈折力のレンズユニット（サブレンズユニット）Ｌ２ｂから構成されている。各サブレンズユニットの開口絞りの側のレンズ面は凹形状を有し、開口絞りの両側に２つのサブレンズユニットが略対称に配置された構成になっている。無限遠物体から近距離物体へのフォーカシングに際して、第１レンズユニットＬ１は不動であり、レンズユニットＬ２ａ及びＬ２ｂは矢印の如く物体側へ移動する。
【手続補正１１】
【補正対象書類名】明細書
【補正対象項目名】００４９
【補正方法】変更
【補正の内容】
【００４９】
図２（ａ）に示す実施例２（数値実施例２）の光学系は、物体側から像側へ順に、正の屈折力の第１レンズユニットＬ１と、正の屈折力の後群Ｌ２から構成されている。後群Ｌ２は物体側から像側へ順に、正の屈折力のレンズユニットＬ２ａ、開口絞りを含む正の屈折力のレンズユニットＬ２ｂから構成されている。無限遠物体から近距離物体へのフォーカシングに際して、第１レンズユニットＬ１は不動であり、レンズユニットＬ２ａ及びＬ２ｂは矢印の如く物体側へ移動する。
【手続補正１２】
【補正対象書類名】明細書
【補正対象項目名】００７０
【補正方法】変更
【補正の内容】
【００７０】
Ｌ１・・・第１レンズユニット、Ｌ２・・・後群、Ｌ２ａ・・・レンズユニットＬ２ａ、Ｌ２ｂ・・・レンズユニットＬ２ｂ、ＳＰ・・・開口絞り、ＩＰ・・・像面